(57)【要約】本発明はかみそりに係る。該カミソリは、電力端子を備え、該電力端子に対して接続される電源を有する、電源ハウジング部と；該電源ハウジング部に対して解放可能に接続され、電力端子に対して接続可能である端子を備える、第１のかみそりヘッドハウジング部とを有する。第１のかみそりヘッドハウジング部は、第１の切断要素と、該第１の切断要素を駆動させる第１のモータとを有し、該第１のかみそりヘッドハウジング部は、実質的に水密性であるユニットを画定する。該かみそりヘッドハウジング部は、電源ハウジング部に対して接続可能であり、電力端子に対して接続可能である端子を備える、第２のかみそりヘッドハウジング部と取り替えられ得る。該第２のかみそりヘッドハウジング部は、第１の切断要素とは異なる第２の切断要素と、該第２の切断要素を駆動させる第２のモータとを有する。
2011512934.tif 000002
【特許請求の範囲】
【請求項１】
かみそりであって：
電力端子を備え、該電力端子に対して接続される電源を有する、電源ハウジング部と；
該電源ハウジング部に対して解放可能に接続され、前記電力端子に対して接続可能である端子を備える、第１のかみそりヘッドハウジング部と、
を有し、
前記第１のかみそりヘッドハウジング部は、第１の切断要素と、該第１の切断要素を駆動させる第１のモータとを有し、
前記第１のかみそりヘッドハウジング部は、実質的に水密であるユニットを画定する、
かみそり。
【請求項２】
前記電源ハウジング部に対して接続可能であり、前記電力端子に対して接続可能である端子を備える、少なくとも１つの第２のかみそりヘッドハウジング部を更に有し、
該第２のかみそりヘッドハウジング部は、前記第１の切断要素とは異なる第２の切断要素と、該第２の切断要素を駆動させる第２のモータとを有し、
前記第２のかみそりヘッドハウジング部は、第２の実質的に水密であるユニットを画定する、
請求項１記載のかみそり。
【請求項３】
前記第２のモータの速度及び／又はトルクの固定的設定は、前記第１のモータの夫々の速度及びトルクの固定的設定とは異なる、
請求項２記載のかみそり。
【請求項４】
前記第１のモータの速度及び／又はトルクの前記設定は、前記第１の切断要素に対して最適化され、
前記第２のモータの速度及び／又はトルクの前記設定は、前記第２の切断要素に対して最適化される、
請求項３記載のかみそり。
【請求項５】
前記第１のかみそりヘッドハウジング部は、一体ユニットであり、該一体ユニットには、ユーザが該ユニットの内部に到達し得るための開口が実質的にない、
請求項１乃至４のうちいずれか一項記載のかみそり。
【請求項６】
前記第１のかみそりヘッドハウジング部は、騒音を減衰するよう隔離層を有し、該隔離層は、前記第１のかみそりヘッドハウジング部のケーシングの内部を実質的に覆う、
請求項１乃至５のうちいずれか一項記載のかみそり。
【請求項７】
前記電源ハウジング部は、一体ユニットであり、該一体ユニットには、ユーザが該ユニットの前記内部に到達し得るための開口が実質的にない、
請求項１乃至６のうちいずれか一項記載のかみそり。
【発明の詳細な説明】
【技術分野】
【０００１】
本発明は、交換可能な毛髪切断要素を駆動させるモータと、該モータに対して動力（電力）を与えるための電源とを有する、モジュラーかみそり（モジュール型かみそり、modular  razors）に係る。
【背景技術】
【０００２】
ＵＳ−２００７／００５０９９５−Ａ１（特許文献１）は、かみそりヘッド、グリップチューブ、及びバッテリシェルを有するかみそりハンドルを備えるかみそりを与える。かみそりヘッドは、かみそりハンドル上に交換可能なかみそりカートリッジを装填するための接続構造を有する。かみそりカートリッジは、適切な切断要素を有する。グリップチューブは、振動を引き起こすよう構成されたモータを有する。グリップチューブは、かみそりヘッドが取り付けられる密封ユニットであり、モジュラー製造（modular  manufacturing）を可能にする。バッテリシェルは、グリップチューブに対して取外し可能に取り付けられるため、ユーザは、バッテリを交換するためにバッテリシェルを取り外し得る。バッテリシェルとグリップチューブとの間における接触部は、例えばＯリングによって密封され、水密性組立体を与える。グリップチューブのモジュール性（modularity）は、有利には、単一の種類のグリップチューブが多種のかみそりヘッドと共に使用されるよう製造されることを可能にする。このことは同様に、ヘッドは異なるがバッテリ式の機能性は同じである製品の一群の製造を単純化する。
【０００３】
前述の特許文献１におけるかみそりは、交換可能であるかみそりカートリッジの利点を与えるが、かみそりヘッド及びかみそりカートリッジは、比較的騒音（ノイズ）がうるさいことが判明した。また、異なる種類の毛髪を切断することが出来るよう、かみそりカートリッジにおいて有される切断要素を駆動させるモータの速度及び／又はトルクは、理想的には調整されるべきである。前述の特許文献１におけるかみそりのモータの速度は調整され得る。しかしながら、実際には、対象であるユーザは一般的に、最適な設定を決定することを不可能ではないにしても困難であると感じている。多くの他の先行技術によるかみそりは、切断要素の速度及びトルクを調整する可能性に欠けており、全ての種類の毛髪に対して単一の設定のみが与えられる。
【先行技術文献】
【特許文献】
【０００４】
【特許文献１】ＵＳ−２００７／００５０９９５−Ａ１
【発明の概要】
【発明が解決しようとする課題】
【０００５】
本発明は、既存のモジュラーかみそりよりも静かであるかみそりを与えることを目的としている。
【課題を解決するための手段】
【０００６】
したがって、本発明はかみそりを与え、当該かみそりは：  
・  電力端子を備え、該電力端子に対して接続される電源を有する、電源ハウジング部と；  
・  該電源ハウジング部に対して解放可能に接続され、その電力端子に対して接続可能である端子を備える、第１のかみそりヘッドハウジング部と、  
を有する。該第１のかみそりヘッドハウジング部は、第１の切断要素と、該第１の切断要素を駆動させる第１のモータとを有する。第１のかみそりヘッドハウジング部は、実質的に水密であるユニットを画定する。
【０００７】
本発明のモジュラーかみそりは、同一のハウジング部において一体にされる切断要素及びそれに対応する駆動モータを与える。モータ及び切断要素を有するハウジング部は、他の異なる切断要素及び対応するモータを有する他のハウジング部と交換可能である。各切断要素に対して接続されるモータの速度及び／又はトルクの設定は、夫々の切断要素に対して最適にされ得る。ユーザが制御できる速度及び／又はトルクの設定が除去されるため、制御回路は比較的単純且つ安価であり得る。駆動モータ及び対応する切断要素を１つのハウジング部において一体にすることにより、いかなる機械的カップリングも同一のハウジング部において一体にされる。カップリングが製造中に最適にされ得るため、騒音は、夫々のハウジング部間において外部の機械的カップリングを備える上述された従来技術によるかみそりと比較して、大幅に低減される。かみそりヘッドハウジング部は、従来技術によるモジュラーかみそりのハウジング部よりも厳しい許容差（tighter  tolerances）を使用して製造され得、更に騒音を減少させる。可動である騒音を発生させる部分は全て、同一のハウジング部において位置決めされるため、騒音は隔てられ得、本願発明のかみそりを非常に静かで使用が快適であるものにする。
【０００８】
一実施例において、ハウジング部は、騒音を更に減少させるよう隔離層を有し得る。
【０００９】
他の異なる接続要素及び対応するモータを有する他の第２、第３、第４等のかみそりヘッドハウジング部は、使用可能であり得る。各ハウジング部は、異なる種類の毛髪に対して最適にされるモータ及び夫々の切断要素の組立体を有する。
【００１０】
電源ハウジング部、第１のかみそりヘッドハウジング部、及び／又は他のかみそりヘッドハウジング部は、密封された水密性であり得る。これにより、洗い流すことによって夫々のハウジング部を洗浄することが可能となる。
【００１１】
他の実施例によれば、第１のかみそりヘッドハウジング部、第２のかみそりヘッドハウジング部、及び／又は電源ハウジング部は、一体ユニットであり、ユーザがユニットの内部に到達し得る開口が実質的にない。かかる一体ユニットは、その洗浄を単純化する。許容差は、より厳しく、安全であり得る。
【図面の簡単な説明】
【００１２】
【図１Ａ】本発明に従ったかみそりの一実施例の断面図である。
【図１Ｂ】本発明に従ったかみそりの他の実施例の断面図である。
【図２】本発明に従ったかみそりヘッドハウジング部の一実施例の側部断面図である。
【図３】図３中のかみそりヘッドハウジング部及び典型的な櫛部を有する、本発明に従ったかみそりの一実施例の平面図である。
【発明を実施するための形態】
【００１３】
図１Ａは、第１のかみそりヘッドハウジング部１２及び電源ハウジング部１４を有する、本発明のかみそり１０を示す。第１のかみそりヘッドハウジング部は、モータ１８を取り囲むケーシング１６を有する。ケーシングの一側は、機械的カップリング２２を介してモータに対して接続される切断要素２０を有する。かみそりヘッドハウジング部が実質的に水密性であることを確実なものとするために、ケーシング１６は、カップリング２２を接続要素に対して接続するよう密封要素を与えられる。密封要素は、例えばゴム製のＯリング又は同等の密封手段を有し得る。他側において、かみそりヘッドハウジング部は突起２４を与えられる。該突起は、例えば、電源ハウジング部１４と電気接触するよう電力端子（図示せず）を与えられる。
【００１４】
電源ハウジング部１４は、電源３２を有するケーシング３０を有する。電源３２は、例えばケーシング３０内において取り囲まれる２つのバッテリ３４を有する。例えば集積回路３６である駆動回路は、かみそりを作動させるようケーシングにおいて有される。駆動回路は、処理ユニット、メモリ、及び／又は類似する半導体素子を有し得る。駆動回路は、かみそり１０のスイッチをオン又はオフにするよう、ケーシング３０において与えられるオン／オフボタン（図示せず）に対して接続される。一端３８において、ケーシング３０は、第１のハウジング部１２を受容するよう適合される。ケーシングは、例えば第１のかみそりヘッドハウジング部の突起２４を受容するよう凹部４０を有する。
【００１５】
ケーシング３０の内部には、コネクタ４４によってケーシング３０に対して接続される層４２が備えられ得る。層４２は隔離層であり得、ハウジング部１４内部からの騒音を隔離する。同様に、かみそりヘッドハウジング部は、機械的騒音を減衰するようケーシング１６内部において隔離層（図示せず）を有し得る。
【００１６】
凹部４０の近くにおいて、ケーシング３０は、電源３２に対して接続される電力端子（図示せず）を与えられる。電力端子は、図１Ａに示される通り第１及び第２のハウジング部が組み立てられるときに、ケーシング１６の端子に接触する。
【００１７】
駆動回路３６は、電力端子において実際に与えられる電圧からバッテリ３４の電圧を分離する間接的電力供給を任意に与え得る。実際には電力端子において与えられ、モータ１８によってみられる電圧は、制御論理３６によって制御される。該制御論理は、バッテリ電圧を監視し、バッテリ電圧の測定に応じてバッテリ電圧における変動を補正する回路を制御する。これは、電力端子において与えられる実質的に一定である電圧をもたらす。
【００１８】
図１Ｂは、同一の電源ハウジング部１４を有するかみそり１０を示す。電源ハウジング部は、他の第２のかみそりヘッドハウジング部１１２を有して組み立てられる。その接続構造は、突起１２４を有し、該突起は、突起２４と同様に電源ハウジング部１４に対して接続する。第２のかみそりヘッドハウジング部は、モータ１１８を有するケーシング、切断要素１２０、及びモータを切断要素に対して接続するカップリング１２２を有する。
【００１９】
切断要素１２０（図１Ｂ）は、切断要素２０（図１Ａ）とは異なる。例えば、切断要素１２０は、他の種類の毛髪（より濃い毛髪、より薄い毛髪、より長い又はより短い毛髪、巻き毛又は直毛等）に対して最適にされる。あるいは、切断要素１２０は、切断要素２０より小さく又は大きくされ得る（例えば一方は子供用、他方は成人用）。モータ１２０は、モータ２０と同一のモータであり得るか、あるいは異なるモータであり得る。しかしながら、速度及び／又はトルクの設定は、特定の切断要素に対して所定の最適な設定に依存して異なり得る。機械的カップリング２２，１２２は、前述の設定を確定するための伝動（transmission）を与え得る。
【００２０】
同様に、複数の追加的なかみそりヘッドハウジング部が与えられ得、それらは各々が特定の種類の毛髪に対する切断要素、夫々のモータ、及びその間に配置される機械的カップリングを有する。各かみそりヘッドハウジング部は、同一のハウジング部において最も理想的なモータを各夫々の切断要素に組み合わせる。モータ及び切断要素の最適な組合せが常に使用されることを確実なものとするよう、モータは切断要素と共に交換される。機械的許容差は、先行技術による解放可能なカップリングよりも厳しくされ得る。実際、可能である最低許容差は、かみそりヘッドを製造するよう使用され得る。許容差は、例えばカップリング２２，１２２に関連する。より厳しい許容差は、出される騒音を低減し、非常に静かなかみそりヘッドを与える。
【００２１】
かみそりヘッドハウジング部１２，１１２は、密封された水密性である。故に、ハウジング部は、例えば水で洗い流すことによって、容易に洗浄され得る。また、密封ハウジング部のケーシングにおいて開口が無いことは、騒音レベルを更に低減させる。
【００２２】
図２は、ケーシング２１６、モータ２１８、切断要素２２０、及び機械的カップリング２２２を有する、かみそりヘッドハウジング部２１２を示す。
【００２３】
一端においてかみそりヘッドハウジング部は、電源ハウジング部を受容するよう延在する円筒部２５０を有する。円筒部２５０は、電源を受容するよう、また電源をモータ２１８に対して接続するよう、導電性端子２５２，２５４を有する。
【００２４】
対向する端部において、カップリング２２２は、ケーシング２１６の開口２５８を通って延在する駆動シャフト２５６を有する。開口２５８は、開口２５８が実質的に水密性に密封されることが確実となるよう密封手段２６０を与えられる。密封手段２６０は、例えば適切な可撓性材料を有するリング、フラップ、及び／又はベローズ（bellow）を有する。該材料は、例えばゴム又は同等の特徴を備えるプラスチックを有する。
【００２５】
切断要素は、例えば皮膚表面にわたって摺動するよう摺動表面２６６を有する。摺動表面の一端において、切断歯２６８のアレイは配置される。カップリング２２２は、摺動表面に対して振動し得る切断歯の振動運動を伝動し得る。保護構造２７０が配置され、切断要素及びカップリングを保護するよう、またユーザがカップリングに接触することを防ぐようにする。
【００２６】
図３は、かみそりヘッドハウジング部２１２が電源ハウジング部２１４を有して組み立てられている平面図を示す。電源ハウジング部の一端は、円筒部２５０内において配置される。ハウジング部２１４の電力端子は、端子２５２，２５４に接触する。
【００２７】
電源ハウジング部は、コネクタ２７２を介して電源コード２７０に対して接続される。電源コード２７０は、本線、又は同等の外部電源に対して接続され得る。電源コードは、ハウジング部２１４から任意に切断され得る。ハウジング部２１４は、電力貯蔵装置（power  storage  device）２７４を有する。電力貯蔵装置は、バッテリ及び／又はキャパシタ等であるなんらかの適切な手段を有し得る。
【００２８】
取外し可能な櫛部２８０は、切断要素２２０を覆う。櫛部は、歯２８２及び円筒形スリーブを有する。該スリーブは、ケーシング２１６の周囲に延在する。歯２８２は、皮膚と切断歯２６８との間の所定の距離を保持し、毛髪が所定の距離に実質的に対応する長さで切断されることを確実なものとする。
【００２９】
本発明は、上述された実施例に制限されない。実施例の多くの修正は、添付の請求項の範囲内であると想到され得る。また、実施例の特徴は組み合わせあれ得る。
【図１Ａ】
2011512934.tif 000003
【図１Ｂ】
2011512934.tif 000004
【図２】
2011512934.tif 000005
【図３】
2011512934.tif 000006
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
かみそりであって、
電源ハウジング部と、
第１のかみそりヘッドハウジング部と、
を有し、
前記電源ハウジング部及び前記第１のかみそりヘッドハウジング部は、互いに対して解放可能に接続され得るよう配置され、
前記電源ハウジング部は、電源と、電源ハウジング部電力端子とを有し、前記電源は、該電源ハウジング部電力端子に対して接続され、
前記第１のかみそりヘッドハウジング部は、切断要素と、該切断要素を駆動させるよう配置されるモータと、第１のかみそりヘッドハウジング部端子とを有し、
前記電源ハウジング部電力端子及び前記第１のかみそりヘッドハウジング部端子は、前記電源ハウジング部及び前記第１のかみそりヘッドハウジング部が接続されるときに接続するよう、また、電流が前記電源ハウジング部から前記第１のかみそりヘッドハウジング部まで流れ得るよう、配置される、
かみそり。
【請求項２】
前記電源ハウジング部に対して解放可能に接続され得るよう配置される、少なくとも１つの更なるかみそりヘッドハウジング部を更に有し、
該少なくとも１つの更なるかみそりヘッドハウジング部は、更なる接続要素と、該接続要素を駆動させるよう配置される更なるモータと、更なるかみそりヘッドハウジング部とを有し、
前記電源ハウジング部電力端子及び前記更なるかみそりヘッドハウジング部端子は、前記電源ハウジング部及び前記少なくとも１つの更なるかみそりヘッドハウジング部が接続されるときに接続するよう、また、電流が前記電源ハウジング部から前記少なくとも１つの更なるかみそりヘッドハウジング部まで流れ得るよう、配置され、
前記第１のかみそりヘッドハウジング部及び前記少なくとも１つの更なるかみそりヘッドハウジング部は、その時点で前記電源ハウジング部に対して接続されるよう配置され、
前記第１のかみそりヘッドハウジング部及び前記少なくとも１つの更なるかみそりヘッドハウジング部は、異なる切断要素を備える、
請求項１記載のかみそり。
【請求項３】
前記電源ハウジング部、前記第１のかみそりヘッドハウジング部、及び請求項２を参照する際には前記少なくとも１つの更なるかみそりヘッドハウジング部は、水密性である、
請求項１又は２記載のかみそり。
【請求項４】
前記第１のモータ、及び請求項２を参照する際には前記少なくとも１つの更なるモータの速度及び／又はトルクの設定は、対応する切断要素に対して最適にされる、
請求項１又は２記載のかみそり。
【請求項５】
前記電源ハウジング部及び／又は前記第１のかみそりヘッドハウジング部、及び／又は請求項２を参照する際には前記少なくとも１つの更なるかみそりヘッドハウジング部は、一体ユニットあり、該一体ユニットには、ユーザが該ユニットの内部に到達し得るための開口が実質的にない、
請求項１又は２記載のかみそり。
【請求項６】
前記電源ハウジング部、及び／又は前記第１のかみそりヘッドハウジング部、及び／又は請求項２を参照する際には前記少なくとも１つの更なるかみそりヘッドハウジング部は、騒音を減衰するよう隔離層を有し、該隔離層は、前記第ハウジング部のケーシングの内部を実質的に覆う、
請求項１又は２記載のかみそり。
【手続補正２】
【補正対象書類名】明細書
【補正対象項目名】０００６
【補正方法】変更
【補正の内容】
【０００６】
したがって、本発明は請求項１記載のかみそりを与える。一実施例において本発明に従ったかみそりは：
・  電力端子を備え、該電力端子に対して接続される電源を有する、電源ハウジング部と；  
・  該電源ハウジング部に対して解放可能に接続され、その電力端子に対して接続可能である端子を備える、第１のかみそりヘッドハウジング部と、  
を有する。該第１のかみそりヘッドハウジング部は、第１の切断要素と、該第１の切断要素を駆動させる第１のモータとを有する。第１のかみそりヘッドハウジング部は、実質的に水密であるユニットを画定する。
【手続補正３】
【補正対象書類名】明細書
【補正対象項目名】０００８
【補正方法】変更
【補正の内容】
【０００８】
更なる一実施例において、ハウジング部は、騒音を更に減少させるよう隔離層を有し得る。
【国際調査報告】
2011512934.tif 000007
2011512934.tif 000008
2011512934.tif 000009